【事件の表示】
　商願２００９−５３１７１拒絶査定不服審判事件について、次のとおり審決する。
【結　論】
　原査定を取り消す。
　本願商標は、登録すべきものとする。
【理　由】
１　本願商標
　本願商標は，「ＡＣＲＥＳＳ」の欧文字を標準文字で表してなり，第３類及び第３５類に属する願書記載のとおりの商品及び役務を指定商品及び指定役務として，平成２１年７月１４日に登録出願され，その後，指定商品については，原審における平成２２年３月３１日付け手続補正書によりすべて削除され，指定役務については，当該手続補正書及び当審における平成２２年１１月２９日付け手続補正書により，第３５類「寝具類の小売又は卸売の業務において行われる顧客に対する便益の提供，身飾品（「カフスボタン」を除く。）の小売又は卸売の業務において行われる顧客に対する便益の提供，化粧用具（「電気式歯ブラシ」を除く。）の小売又は卸売の業務において行われる顧客に対する便益の提供，茶の小売又は卸売の業務において行われる顧客に対する便益の提供，コーヒーの小売又は卸売の業務において行われる顧客に対する便益の提供，清涼飲料の小売又は卸売の業務において行われる顧客に対する便益の提供，菓子及びパンの小売又は卸売の業務において行われる顧客に対する便益の提供，しょうゆ及び食酢の小売又は卸売の業務において行われる顧客に対する便益の提供，食用油脂の小売又は卸売の業務において行われる顧客に対する便益の提供，食肉の小売又は卸売の業務において行われる顧客に対する便益の提供，食用魚介類（生きているものを除く。）の小売又は卸売の業務において行われる顧客に対する便益の提供，加工食料品の小売又は卸売の業務において行われる顧客に対する便益の提供，家具の小売又は卸売の業務において行われる顧客に対する便益の提供，電気式歯ブラシ及び家庭用電熱用品類の小売又は卸売の業務において行われる顧客に対する便益の提供，電気通信機械器具の小売又は卸売の業務において行われる顧客に対する便益の提供，薬剤の小売又は卸売の業務において行われる顧客に対する便益の提供，化粧品・歯磨き及びせっけん類の小売又は卸売の業務において行われる顧客に対する便益の提供，時計の小売又は卸売の業務において行われる顧客に対する便益の提供，医療用機械器具の小売又は卸売の業務において行われる顧客に対する便益の提供」に補正されたものである。
　
２　引用商標
　原査定において，本願商標が商標法第４条第１項第１１号に該当するとして，本願の拒絶の理由に引用した登録商標は，以下の（１）から（７）のとおりであり，それぞれ，現に有効に存続しているものである。
（１）引用商標１
　登録第０７０４２６３号商標（以下「引用商標１」という。）は，「アスレス」の片仮名文字を横書きしてなり，昭和３９年１０月９日登録出願，第１類「薬剤」を指定商品として，同４１年４月１４日に設定登録され，その後，４回にわたり商標権の存続期間の更新がされ，さらに，平成１７年１１月２４日に指定商品を第５類「薬剤」とする指定商品の書換登録がされたものである。
（２）引用商標２
　登録第１１８８８８９号商標（以下「引用商標２」という。）は，「アークレス」の片仮名文字を横書きしてなり，昭和４８年２月５日登録出願，第１７類「被服，布製身回品，寝具類」を指定商品として，同５１年３月１５日に設定登録され，その後，３回にわたり商標権の存続期間の更新がされ，さらに，平成１７年１０月１９日に指定商品を第９類，第２１類及び第２５類に属する商標登録原簿記載のとおりの商品とする指定商品の書換登録がされたものである。
（３）引用商標３
　登録第２３８７８１７号商標（以下「引用商標３」という。）は，「アクネス」の片仮名文字を横書きしてなり，平成元年１２月１３日登録出願，第４類「化粧品（薬剤に関するものを除く）その他本類に属する商品」を指定商品として，同４年３月３１日に設定登録され，その後，商標権の存続期間の更新がされ，さらに，平成１４年９月４日に指定商品を第３類及び第３０類に属する商標登録原簿記載のとおりの商品とする指定商品の書換登録がされたものである。
（４）引用商標４
　登録第２５５７０８４号商標（以下「引用商標４」という。）は，「アクネス」の片仮名文字を横書きしてなり，平成元年８月２５日登録出願，第１類「化学品，薬剤，医療補助品」を指定商品として，同５年７月３０日に設定登録され，その後，商標権の存続期間の更新がされ，さらに，平成１６年７月２１日に指定商品を第１類ないし第５類，第８類ないし第１０類，第１６類，第１９類，第２１類及び第３０類に属する商標登録原簿記載のとおりの商品とする指定商品の書換登録がされたものである。
（５）引用商標５
　登録第４４８８６５６号商標（以下「引用商標５」という。）は，「アクネス」の片仮名文字を標準文字で表してなり，平成１２年１０月１１日登録出願，第１６類に属する商標登録原簿記載のとおりの商品を指定商品として，平成１３年７月６日に設定登録されたものである。
（６）引用商標６
　登録第４６５０１４３号商標（以下「引用商標６」という。）は「アクネス」の片仮名文字を横書きしてなり，平成１４年１月１１日登録出願，第９類に属する商標登録原簿記載のとおりの商品を指定商品として，平成１５年３月７日に設定登録されたものである。
（７）引用商標７
　登録第４６５０１４４号商標（以下「引用商標７」という。）は「ＡＣＣＵＮＥＳ」の欧文字を横書きしてなり，平成１４年１月１１日登録出願，第９類に属する商標登録原簿記載のとおりの商品を指定商品として，平成１５年３月７日に設定登録されたものである。
　
３　当審の判断
（１）引用商標２及び５について
　本願商標に係る指定役務は，前記１のとおり補正された結果，引用商標２及び５の指定商品と類似の役務はすべて削除され，引用商標２及び５の指定商品とは類似しないものとなった。
（２）本願商標と引用商標１，３，４，６及び７との類否について
　本願商標は，前記１のとおり，「ＡＣＲＥＳＳ」の欧文字を書してなるところ，その構成文字に相応して「アクレス」の称呼が生じるものということができる。
　また，「ＡＣＲＥＳＳ」は，特定の語義を有しない造語であると認められるから，本願商標からは，特定の観念を生じないとみるのが相当である。
　引用商標１，３，４，６及び７（以下まとめていうときは「引用各商標」という。）は，それぞれの外観構成については，前記２の（１）ないし（７）に示すとおりであるところ，それぞれの構成文字に相応して，引用商標１からは「アスレス」の称呼が生じ，引用商標３，４，６及び７からは「アクネス」の称呼が生じるものということができる。
　また，「アスレス」，「アクネス」及び「ＡＣＣＵＮＥＳ」は，いずれも特定の語義を有しない造語であると認められるから，いずれからも特定の観念を生じないとみるのが相当である。
　ア　外観
　本願商標と引用各商標とは，それぞれの外観構成に照らし，相違するものであること明らかであり，外観において見誤るおそれはないというべきである。
　イ　称呼
　まず，本願商標から生ずる「アクレス」の称呼と引用商標１から生ずる「アスレス」の称呼とを比較すると，両称呼は，共に４音からなるものの，第２音において調音位置（軟口蓋音と歯音）及び調音方法（破裂音と摩擦音）を異にする「ク」と「ス」の明らかな差異を有するものであって，かつ，全体で４音という比較的短い音構成にあって，この差異音が両称呼に与える影響は決して小さなものとはいえないから，それぞれを一連に称呼した場合には，語調，語感を異にし，互いに聴き誤るおそれはないというべきである。
　次に，本願商標から生ずる「アクレス」の称呼と引用商標３，４，６及び７から生ずる「アクネス」の称呼とを比較すると，両称呼は，共に４音からなるものの，第３音において調音方法（弾音と通鼻音）を異にする「レ」と「ネ」の明らかな差異を有するものであって，かつ，全体で４音という比較的短い音構成にあって，この差異音が両称呼に与える影響は決して小さなものとはいえないから，それぞれを一連に称呼した場合には，語調，語感を異にし，互いに聴き誤るおそれはないというべきである。
　ウ　観念
　本願商標及び引用各商標は，いずれも特定の観念を生じないものであるから，両者を比較することはできない。
　エ　判断
　以上によれば，本願商標と引用各商標とは，その外観，称呼及び観念のいずれの点においても類似しない商標というべきである。
（３）まとめ
　以上のとおりであるから，本願商標が商標法第４条第１項第１１号に該当するとして本願を拒絶した原査定は，妥当でなく，取消しを免れない。 
　その他，政令で定める期間内に本願について拒絶の理由を発見しない。 
　よって，結論のとおり審決する。